(57)【要約】  貨物スペースの垂直方向の高さ全体に渡って延在するコンテナ支持ガイドを備え、収容されたコンテナ（１）を船体構造物に取り付けられた前記コンテナ支持ガイドによって水平方向に動かないように支持するようになっている貨物スペースを有するコンテナ船の貨物量を増やす方法が開示されている。この方法は、船体構造物に固定的又は取り外し可能に取り付けられた機械的に操作可能な支持手段によって、積み上げられたコンテナを垂直方向に、２つ以上の分割積み上げ部に分けることによってなされ、それによって、上方の分割コンテナ積み上げ部の重量が下方の分割コンテナ積み上げ部に伝えられないようになっている。本発明は、この方法を実施するための支持用腕木（２）にも関する。
2005514269.tif 000002
【特許請求の範囲】
【請求項１】
コンテナ船の貨物スペースに収容される貨物の荷重に耐えると共に、直接的又は非直接的に船体構造物に接続されている支持用腕木（２）において、該支持用腕木（２）が固定収容部材（2’）とそれに回転可能に接続される腕木部材（2”）とによって形成されており、該収容部材に関して該腕木部材が２カ所の制限位置の間で回転するようになっており、一方の制限位置において回転可能な腕木部材がそこに課される荷重を担い、他方の制限位置において、前記回転可能な腕木部材は回転して片付けられ、貨物の積み卸しへの障害にならないようになっていることを特徴とする支持用腕木。
【請求項２】
前記支持用腕木収容部材（2’）が船体構造物に固定的に接続されており、前記支持用腕木収容部材（2’）と前記回転可能な腕木部材（2”）がその重なり合う面に関して相互に実質的に相補的な形状をしており、前記収容部材中にある回転可能な腕木部材が前記２カ所の制限位置の間以外でいかなる方向にも動かないようになっていることを特徴とする請求項１に記載の支持用腕木。
【請求項３】
前記支持用腕木収容部材（2’）と前記回転可能な腕木部材（2”）との前記重なり合う面が相補的な曲面形状を有していることを特徴とする請求項２に記載の支持用腕木。
【請求項４】
前記支持用腕木（２）が連結レバー機構と前記回転可能な腕木部材を回転させるための作動手段とを備えていることを特徴とする請求項１〜３のいずれか１項に記載の支持用腕木。
【発明の詳細な説明】
【技術分野】
【０００１】
本発明は、コンテナ船の貨物量を増大する、請求項１の前提部分に記載の方法、及び前記方法における使用に適する請求項３の前提部分に記載の支持用腕木に関する。
【背景技術】
【０００２】
より詳しくは、本発明は、コンテナが積載されるコンテナ船の貨物スペースに関する。従来技術では、ハッチカバーを備え、その下側にコンテナが収納されると共に、ハッチの上にもコンテナが積載されるというように、分けて使用される貨物スペースを有する設計が知られている。ハッチカバーの下側に収容されるコンテナは、船の貨物スペース内に配置されるコンテナ支持用腕木によって水平方向に動かないように支持されている。ハッチカバーの上に積み上げられるコンテナは、コンテナ緊締装置のコーナー取り付け具と綱付き棒とで固定されている。しかしながら、コーナー取り付け具と綱付き棒とによるこの種の取り付けは非常に不安定であり、積み上げられたコンテナの全重量は実質的に制限されなくてはならない。したがって、利用可能な最大の貨物スペースよりも、船の貨物量は少なくなっている。
【０００３】
ハッチが付いていない貨物スペースにおいては、最も下のコンテナの強度が許す限り、非常に数多くのコンテナを相互に積み上げることが可能であった。積み上げられたコンテナの水平方向の動きは、垂直なコンテナガイドによって制限されている。しかしながら、従来の標準的なコンテナの強度は非常に小さいので、一番下のコンテナが潰れるのを防ぐために、積み上げられたコンテナ縦一列の総重量は、やはり、大きく制限されなくてはならない。この場合も、船の貨物容量が完全に使用されていないことになる。
【０００４】
コンテナを、コンテナガイドから、コンテナの底部と実質的に同じ大きさである平面状の枠体に載せることも可能である。枠体は、リフトによって動かされる。積載の後に、枠体は船体構造物に支持される。この種の吊り上げ可能な枠体は場所を取るので、船の最大貨物量を制限し荷物の積み卸し作業を遅くする。
【発明の開示】
【発明が解決しようとする課題】
【０００５】
本発明の目的は、コンテナ船の貨物量を向上させる方法を提供することである。
【０００６】
本発明の更なる目的は、大きな垂直方向及び水平方向の力を受けることが可能であるということによって、前記方法で使用するのに適したコンテナ支持用腕木を提供することである。
【課題を解決するための手段】
【０００７】
本発明による方法は、船体構造物に、固定的に又は取り外し可能な態様で取り付けられた機械的に操作可能な支持手段によって、積み上げられたコンテナを２つ以上の分割積み上げ部に分け、上方の分割積み上げ部の重量が下方の分割積み上げ部に伝わらないようにすることを特徴とする。
【０００８】
本発明の好ましい態様は、積み上げられたコンテナによる垂直方向の荷重を、各分割積み上げ部の最も低い位置にあるコンテナを介して船体構造物に移すという特徴を有している。
【０００９】
本発明による支持用腕木は、該支持用腕木が固定収容部材と該固定収容部材に回転可能に接続される腕木部材とによって形成され、固定収容部材に対する回転可能な腕木部材の回転が２箇所の制限位置の間で起こり、該制限位置の一方において、回転可能な腕木部材がそこに加えられる荷重を担い、他方の制限位置においては、回転可能な腕木部材が側方に回転されて貨物の積み卸しの障害にならないようにすることを特徴とする。
【００１０】
本発明による支持用腕木の他の好ましい態様は、前記支持用腕木の収容部材が船体構造物に固定的に取り付けられており、支持用腕木の収容部材と回転可能な腕木部材とが、それらの重なり合う面に関して実質的に相互に受け入れ合うように外形が定められており、前記回転可能な支持用腕木が収容部材の中で、回転可能な腕木部材の前記制限位置間以外のいかなる位置にも動かないようになっていることを特徴とする。
【００１１】
本発明による支持用腕木のまた別の好ましい態様は、前記支持用腕木収容部材と前記回転可能な腕木部材との重なり合う面が湾曲した外形を有していることを特徴とする。
【００１２】
本発明による支持用腕木の更に別の好ましい態様は、前記支持用腕木が連結レバー機構と回転可能な腕木部材を回転させるための駆動手段とを備えていることを特徴とする。
【００１３】
本発明による支持方法のメリットは、従来の支持構造に比べて、船の貨物量を大きく増加させた点にある。本発明による支持用腕木は、支持力の応力を受けるのに寸法が小さいと共に複雑ではない部材を用いることによって、支持用腕木組立体に関して動きやすい大荷重を支持するのを容易にするので、経済効率のよい構造体であるという特長を有する。さらに、回転可能な腕木部材は取り外すことができ、人手による操作のみで所定の位置に挿入することができる。本発明の支持用腕木構造体は非常に安全に使用することができ、その低い方の位置に回転可能な腕木部材を固定する必要がない。この効果的な設計故に、回転可能な腕木部材は、該腕木部材が意図せずしてその低い方の位置を離れてしまっていた場合であっても、船の貨物スペースから吊り上げられている貨物に損傷を与えることがない。
【発明を実施するための最良の形態】
【００１４】
以下において、添付の図面を参照しながら、例示的態様の助けを借りて、本発明をより詳細に記述する。
【００１５】
図１には、コンテナ船の断面を示している。船は、１つずつ積み上げられ、また、相互に隣接させて横に並べて収納されたコンテナ１を有している。コンテナガイド枠体は、積み上げられたコンテナの最上部にまで垂直方向に延在し、船体構造物に取り付けられているコンテナガイドによって水平方向にコンテナを支持する。垂直方向においては、角部取り付け具同士を固定して、コンテナは互いの上に乗っている。
【００１６】
コンテナを積み重ねることによって生じる垂直方向の荷重は最も下のコンテナを介して船体構造物に伝えられる。一番下のコンテナにかかる荷重が過度に高くなると推定されれば、船体構造物に固定又は取り外し可能な方法で取り付けられている、機械的に操作可能な支持手段の助けを借りて、中間支持点の上にある分割積み上げ部を支持して所望の点で垂直方向に２つの分割積み上げ部に分けることができる。その結果、中間支持点の下にある分割積み上げ部は、その上の分割積み上げ部の荷重を担うことから解放される。このようにして、本発明によると、前記支持手段の助けを借りて、高く積み上げたコンテナを、支持手段の上にあるコンテナの分割積み上げ部がその下にある分割積み上げ部に伝えられないように、２つ以上の分割積み上げ部に分けることによって、コンテナ船の貨物量を増大させることができる。
【００１７】
機械的な支持部材として、本発明による支持用腕木２を使用することができる（図２及び図３）。図２においては、支持用腕木がその上方の位置に回転した状態が示されており、このようにして、支持用腕木を除ける必要なく、貨物スペースへの、また、貨物スペースからのコンテナ１の積み卸しするのを可能にする。逆に、図３に示されている支持用腕木はそのコンテナ支持位置に回転している。
【００１８】
図４〜７においては、本発明による支持用腕木２の好ましい態様の構造を非常に詳細に示している。ここにおいて、支持用腕木は２つの主要な部品、即ち、固定収容部材２’と回転可能な腕木部材２”とを有しており、これらの内、腕木部材は回転して上方の位置に納められるか、取り外せるようになっており、腕木部材が船の貨物スペースにおける貨物の積み卸しなど貨物の取り扱いの障害になることはない。さらに、支持用腕木２は腕木部材２”を回転させるための連結レバー機構と作動装置とを有していてもよい。支持用腕木２は、取り外し可能な組立体であっても、また、船の船体構造物に永久に固定されるものであってもよい。支持用腕木組立体においては、回転可能な腕木部材２”と固定収容部材２’とが重なり合う面は実質的に一致するように形成されている。固定収容部材中にある回転可能な腕木部材２”は、垂直方向以外の他の方向に動かないように、その動きが制限されている。図４には、支持用腕木が上方の位置に回転した状態が示されており、この位置においては、腕木部材は荷物の積み卸し作業を妨げることはない。逆に、図５は、その使用位置にある支持用腕木２を示しており、この位置において、腕木はそこにかけられる荷重を担う。
【００１９】
下方の位置にあって回転可能な腕木部材２”がかけられた垂直方向の荷重を受けているとき、腕木部材の水平方向に延びた脚の下面は収容部材２’の上面にあり、一方、回転可能な腕木部材の湾曲した脚は、支持用腕木の収容部材中に形成された相補的な形状の溝に収まっている。回転可能な腕木部材が垂直方向の力を受けると、回転可能な腕木部材の湾曲した脚は、水平方向に動いたり、その長手方向の軸周りに捻れたりしないようになっている。
【００２０】
当業者には、本発明が前記例示的態様に制限されず、本発明の精神と添付の請求の範囲内で変更することができるのは明らかである。例えば、支持用腕木収容部材２’と回転可能な腕木部材２”との形状は、前記のものから変更することができる。ここにおいて、回転可能な腕木部材と相補的な形状を有する支持用腕木の収容部材とは異なる形状にすることもできる。回転可能な腕木部材２”が、支持用腕木収容部材２’に挿入して使用する取り外し可能な要素として設計されているので、図面に示されている蝶番は、本発明を実施するのに絶対に必要な要素ではない。さらに、本発明の支持用腕木は、コンテナに加えて、例えば、他の種類の貨物又は中間ハッチカバーを支持するのにも使用することができる。
【図面の簡単な説明】
【００２１】
【図１】図１は、コンテナを積載したコンテナ船の断面図である。
【図２】図２は、積み卸しの過程における、コンテナガイド枠体内にあるコンテナの略断面図である。
【図３】図３は、貨物が積載される船において、コンテナガイド枠体に積み込まれている下方の分割積み上げコンテナ部の一番上のコンテナと、上方の分割積み上げコンテナ部の一番下のコンテナを示す略側面図である。
【図４】図４は、その上方の位置に回転した、本発明の支持用腕木を示している。
【図５】図５は、荷重を担うためにその下方の位置に回転した、本発明の支持用腕木を示している。
【図６】図６は、支持用腕木の収容部材の斜視図を示している。
【図７】図７は、支持用腕木の回転可能な腕木部材の斜視図を示している。
【図１】
2005514269.tif 000003
【図２】
2005514269.tif 000004
【図３】
2005514269.tif 000005
【図４】
2005514269.tif 000006
【図５】
2005514269.tif 000007
【図６】
2005514269.tif 000008
【図７】
2005514269.tif 000009
【手続補正書】
【提出日】平成16年1月22日(2004.1.22)
【手続補正１】
【補正対象書類名】特許請求の範囲
【補正対象項目名】全文
【補正方法】変更
【補正の内容】
【特許請求の範囲】
【請求項１】
コンテナ船の貨物スペースに収容される貨物の荷重に耐えると共に、直接的又は非直接的に船体構造物に接続されている支持用腕木（２）であって、該支持用腕木（２）が固定収容部材（2’）とそれに回転可能に接続される腕木部材（2”）とによって形成されており、該収容部材に関して該腕木部材が２カ所の制限位置の間で回転するようになっており、一方の制限位置において回転可能な腕木部材がそこに課される荷重を担い、他方の制限位置において、前記回転可能な腕木部材は回転して片付けられ、貨物の積み卸しへの障害にならないようになっている支持用腕木において、前記支持用腕木収容部材（2’）が船体構造物に固定的に接続されており、前記支持用腕木収容部材（2’）と前記回転可能な腕木部材（2”）がその重なり合う面に関して相互に実質的に相補的な形状をしており、前記収容部材中にある回転可能な腕木部材が前記２カ所の制限位置の間以外でいかなる方向にも動かないようになっていることを特徴とする支持用腕木。
【請求項２】
前記支持用腕木収容部材（2’）と前記回転可能な腕木部材（2”）との前記重なり合う面が相補的な曲面形状を有していることを特徴とする請求項１に記載の支持用腕木。
【国際調査報告】
2005514269.tif 000010
2005514269.tif 000011